(57)【要約】      （修正有）【課題】冷却材等の交換が不要な空冷方式によって凝結面を十分に冷却することが可能なエキス抽出蒸留装置を提供する。【解決手段】処理対象物１から抽出されたエキスを含んだ蒸気が供給される供給部１９と、供給部１９上方を覆うカバー部１８とを備え、カバー部１８の内面側に前記蒸気を受止めて凝結させる凝結面１８ａを形成したエキス抽出蒸留装置において、カバー部１８外面側に空気との接触面積を増加させる放熱部２７を設ける。【選択図】図１
0003147075.tif 000002
【実用新案登録請求の範囲】
【請求項１】
処理対象物（１）から抽出されたエキスを含んだ蒸気が供給される供給部（１９）と、供給部（１９）上方を覆うカバー部（１８）とを備え、カバー部（１８）の内面側に前記蒸気を受止めて凝結させる凝結面（１８ａ）を形成したエキス抽出蒸留装置において、カバー部（１８）外面側に空気との接触面積を増加させる放熱部（２７）を設けたエキス抽出蒸留装置。
【請求項２】
カバー部（１８）をドーム状又は傘状をなすように成形した請求項１のエキス抽出蒸留装置。
【請求項３】
平面視カバー部（１８）外面側から放射状に外方に向かって広がる複数のフィン（２６）により放熱部（２７）を構成した請求項２のエキス抽出蒸留装置。
【請求項４】
筒状に形成した径の異なる複数のフィン（４３）を同心軸上に所定間隔を介して重ねて配置することにより放熱部（２７）を構成した請求項２のエキス抽出蒸留装置。
【請求項５】
前記フィン（４３）に通気孔（４３ａ）を穿設した請求項４のエキス抽出蒸留装置。
【請求項６】
板状をなす複数のフィン（４４）を所定間隔を介して上下に配置することにより放熱部（２７）を構成した請求項２のエキス抽出蒸留装置。
【請求項７】
上下に配置された隣接フィン（４４）同士を連接する上下方向の接続体（４７）を１以上設けてなる請求項６のエキス抽出蒸留装置。
【請求項８】
カバー部（１８）外面から突出形成される棒状の突出片（４６）により放熱部（２７）を構成した請求項２のエキス抽出蒸留装置。
【請求項９】
凝結された凝結エキスを収容する収容部（２１）を設けてなる請求項１,２，３,４,５,６,７又は８のエキス抽出蒸留装置。
【請求項１０】
前記カバー部（１８）及び供給部（１９）の下方に前記収容部（２１）を配置してなる請求項９のエキス抽出蒸留装置。
【請求項１１】
３つ以上の収容部（２１），（３４），（３７），（４１）を上流側から下流側に向かって隣接配置し、収容部（２１），（３４），（３７），（４１）間を凝結エキスが流動可能なように隣接した収容部（２１），（３４），（３７），（４１）同士をそれぞれ連通させる複数の連通部（２２），（３３），（３９）を設け、該複数の連通部（２２），（３３），（３９）の内、上流側のもの対して下流側のものが低い位置に配置されるように各連通部（２２），（３３），（３９）を形成した請求項９又は１０のエキス抽出蒸留装置。
【請求項１２】
供給部（１９）に供給されて凝結されなかった蒸気が供給される補助供給部（３２）及び該補助供給部（３２）上方を覆う補助カバー部（２８）を設け、補助カバー部（２８）の内面側に前記蒸気を受止めて凝結させる補助凝結面（２８ａ）を形成した請求項１，２３，４，５，６，７，８，９，１０又は１１のエキス抽出蒸留装置。
【請求項１３】
補助カバー部（２８）をドーム状又は傘状に形成した請求項１２のエキス抽出蒸留装置。
【請求項１４】
蒸留によって処理対象物（１）からエキスを抽出する抽出部（９）と前記供給部（１９）とを隔てる仕切部（１５）を設け、抽出部（９）内の蒸気を供給部（１９）に導入する導入部（１３）を形成した請求項１，２，３，４，５，６，７，８，９，１０，１１，１２又は１３のエキス抽出蒸留装置。
【考案の詳細な説明】
【技術分野】
【０００１】
この考案は、植物等の処理対象物からエキスを抽出するエキス抽出蒸留装置に関する。
【背景技術】
【０００２】
従来、植物等の処理対象物からエッセンシャルオイルや天然香料等を家庭において抽出精製するエキス抽出蒸留装置としては、処理対象物から抽出されたエキスを含んだ蒸気が供給される供給部と、供給部上方を覆うカバー部とを備え、カバー部の内面側に前記蒸気を受止めて凝結させる凝結面を形成した特許文献１に示すエキス抽出蒸留装置が公知になっている。
【特許文献１】実用新案登録第３１２２５８２号公報
【考案の開示】
【考案が解決しようとする課題】
【０００３】
上記特許のエキス抽出蒸留装置は、カバー部の外面側を冷却水や氷等の冷却材によって冷却することにより凝結面が蒸気によって温められるのを防止しているため、凝結面が所定温度以下に保たれ、効率の良いエキス抽出作業を行うことができる反面、冷却材が温められて冷却効率が低下した場合には、凝結面での凝結効率を維持するために、温められた冷却材（例えば、温められた冷却水）を新しいもの（例えば、冷やされた冷却水）に交換する手間が必要になるという課題がある。
【０００４】
一方、カバー部外表面側を空気によって冷却する空冷方式を採用した場合には、凝結面が十分に冷却されずに蒸気によって温められ、エキス抽出効率が低下してしまうことがあるという課題がある。
本考案は、上記課題を解決し、処理対象物から抽出されたエキスを含んだ蒸気が供給される供給部と、供給部上方を覆うカバー部とを備え、カバー部の内面側に前記蒸気を受止めて凝結させる凝結面を形成したエキス抽出蒸留装置において、冷却材等の交換が不要な空冷方式によって凝結面を十分に冷却することが可能なエキス抽出蒸留装置を提供することを目的としている。
【課題を解決するための手段】
【０００５】
上記課題を解決するための本考案のエキス抽出蒸留装置は、第１に、処理対象物１から抽出されたエキスを含んだ蒸気が供給される供給部１９と、供給部１９上方を覆うカバー部１８とを備え、カバー部１８の内面側に前記蒸気を受止めて凝結させる凝結面１８ａを形成したエキス抽出蒸留装置において、カバー部１８外面側に空気との接触面積を増加させる放熱部２７を設けたことを特徴としている。
【０００６】
第２に、カバー部１８をドーム状又は傘状をなすように成形したことを特徴としている。
【０００７】
第３に、平面視カバー部１８外面側から放射状に外方に向かって広がる複数のフィン２６により放熱部２７を構成したことを特徴としている。
【０００８】
第４に、筒状に形成した径の異なる複数のフィン４３を同心軸上に所定間隔を介して重ねて配置することにより放熱部２７を構成したことを特徴としている。
【０００９】
第５に、前記フィン４３に通気孔４３ａを穿設したことを特徴としている。
【００１０】
第６に、板状をなす複数のフィン４４を所定間隔を介して上下に配置することにより放熱部２７を構成したことを特徴としている。
【００１１】
第７に、上下に配置された隣接フィン４４同士を連接する上下方向の接続体４７を１以上設けてなることを特徴としている。
【００１２】
第８に、カバー部１８外面から突出形成される棒状の突出片４６により放熱部２７を構成したことを特徴としている。
【００１３】
第９に、凝結された凝結エキスを収容する収容部２１を設けてなることを特徴としている。
【００１４】
第１０に、前記カバー部１８及び供給部１９の下方に前記収容部２１を配置してなることを特徴としている。
【００１５】
第１１に、３つ以上の収容部２１，３４，３７，４１を上流側から下流側に向かって隣接配置し、収容部２１，３４，３７，４１間を凝結エキスが流動可能なように隣接した収容部２１，３４，３７，４１同士をそれぞれ連通させる複数の連通部２２，３３，３９を設け、該複数の連通部２２，３３，３９の内、上流側のもの対して下流側のものが低い位置に配置されるように各連通部２２，３３，３９を形成したことを特徴としている。
【００１６】
第１２に、供給部１９に供給されて凝結されなかった蒸気が供給される補助供給部３２及び該補助供給部３２上方を覆う補助カバー部２８を設け、補助カバー部２８の内面側に前記蒸気を受止めて凝結させる補助凝結面２８ａを形成したことを特徴としている。
【００１７】
第１３に、補助カバー部２８をドーム状又は傘状に形成したことを特徴としている。
【００１８】
第１４に、蒸留によって処理対象物１からエキスを抽出する抽出部９と前記供給部１９とを隔てる仕切部１５と設け、抽出部９内の蒸気を供給部１９に導入する導入部１３を形成したことを特徴としている。
【考案の効果】
【００１９】
以上のように構成される本考案の工キス抽出蒸留装置によれば、カバー部外面側に空気との接触面積を増加させる放熱部を設けることにより、蒸気凝結時における凝結面の温度上昇が抑制されるため、水冷等の冷却材の交換が必要な冷却システムを用いること無く空冷により凝結面を所定温度以下に維持させることが可能になり、手間を掛けること無く効率の良いエキス抽出作業を行うことができるという効果がある。
【００２０】
また、カバー部をドーム状又は傘状に形成することにより、供給部上方に広い凝結面を確保できるためエキスの抽出効率がより向上するとともに、凝結した凝結エキスが凝結面を伝って下方に移動し所定箇所に導かれるため、凝結エキスの収集が容易になるという効果がある。
【００２１】
また、前記カバー部及び供給部の下方に回収部を形成することにより、装置全体をよりコンパクトに形成できるという効果がある。
【００２２】
さらに、３つ以上の収容部を上流側から下流側に向かって隣接配置し、収容部間を凝結エキスが流動可能なように隣接した収容部同士をそれぞれ連通させる複数の連通部を設け、該複数の連通部の内、上流側のもの対して下流側のものが低い位置に配置されるように各連通部を形成することにより、濃度の異なる凝結エキスを容易に得ることができるという効果がある。
【００２３】
なお、供給部に供給されて凝結されなかった蒸気が供給される補助供給部及び該補助供給部上方を覆う補助カバー部を設け、補助カバー部の内面側に前記蒸気を受止めて凝結させる補助凝結面を形成することにより、エキスを含んだ蒸気が無駄なく凝結されていくため、より効率の良い抽出作業を行うことが可能になるという効果がある。
【考案を実施するための最良の形態】
【００２４】
以下図示する例に基づき本考案の実施形態について説明する。
図１は、本考案を適用したエキス抽出蒸留装置の全体側断面図であり、図２は、本エキス抽出蒸留装置の回収カバーの平面図である。本エキス抽出蒸留装置（エキス抽出装置，抽出装置）は、エキス抽出工程の最上手側で蒸留によって植物等のエキス抽出処理対象物（処理対象物，被処理物）１からエキスを抽出し蒸気として送り出す抽出器２と、該抽出器２から供給される蒸気を処理する第１回収器（回収器）３と、第１回収器３から供給される蒸気及び凝結エキスを処理する第２回収器（回収器）４と、第２回収器４から供給される凝結エキスを回収する第３回収器（回収器）６と、該第３回収器６から供給される凝結エキスを回収する第４回収器（回収器）７等から構成される。ちなみに、抽出器２及び各回収器３，４，６，７は、それぞれ耐酸性及び耐熱性を有する陶器によってその形状が成形されている。
【００２５】
上記抽出器２は、内部に被処理物１を収容して被処理物１から蒸留抽出を行う抽出室（抽出部）９が形成されるとともに上方が開放され且つ底側が閉塞された上下方向に延びる筒状の抽出容器８と、抽出容器８上方を閉塞して抽出室９の所定以上の気密性が保持されるように、該抽出容器８内周面の上端部に外周面下端部が着脱自在に嵌合挿入される下方が開放された箱状且つ蓋状の抽出カバー１１とからなる。
【００２６】
この抽出容器８下部に穿設された挿通孔８ａには、蒸気を供給する蒸気供給管１２の蒸気下流側（下流側）の端部が挿入係止されており、被処理物１が充填収容された抽出室９内に、上記蒸気供給管１２の下流側端から水蒸気（蒸気）が供給される。この供給された水蒸気によって水蒸気蒸留（蒸気蒸留）が行われ、エキス（エキス成分）を含んだ蒸気が抽出室９から抽出カバー１１内に立ち上がる。
【００２７】
抽出カバー１１は、天井面１１ａが第１回収器３側に向かって下方傾斜するように成形され、第１回収器３側に向かって水平方向に延設された導入ノズル（導入部，ノズル）１３を有している。該導入ノズル１３は、第１回収器３に穿設された供給孔１４に着脱自在に嵌め込み挿入され、抽出カバー１１内のエキスを含んだ蒸気を第１回収器３側に供給する。この際、第１回収器３側に向かって下方傾斜する上記天井面１１ａによって、抽出カバー１１内の蒸気が導入ノズル１３側に効率良く案内される。
【００２８】
以上のようにして、抽出器２内と第１回収器３内とを導入ノズル１３を介して連通することにより、抽出器２内と第１回収器３内とを隔てる空間部からなる仕切部１５を形成している。この仕切部１５によって、抽出室９から第１回収器３内への熱の移動を抑制して、第１回収器３の温度上昇を防止している。くわえて、導入ノズル１３を細長に形成することにより、抽出器２から第１回収器３に移動する蒸気を、その移動過程で冷却することが可能になる。
【００２９】
なお、被処理物１は、抽出カバー１１を取外して上方から抽出容器８内に充填収容されるが、この際、充填収容された被処理物１の上に、上下方向の蒸気通気孔が複数穿設された板状の重し蓋１６を載せることにより、蒸気の立ち上りを妨げること無く導入ノズル１３側への被処理物１の侵入を防止することができる。
【００３０】
上記第１回収器３は、上方が開放され且つ底側が閉塞された上下方向に延びる平断面視円形状又は多角形状（図示する例では円形状）の筒状部材である容器１７と、容器１７上方を開閉可能に閉塞状態で覆う回収カバー（カバー部，カバー蓋）１８とからなる。
【００３１】
容器１７は、第１回収器３の下半部を構成しており、容器１７周壁の上下方向中途部に前述の水平方向の供給孔１４が穿設され、容器１７内上半部側に抽出器２からの蒸気が供給される供給室（供給部）１９が形成され、容器１７内下半部側に凝結エキス（液体，エキス）を収容する収容部２１が形成される。
【００３２】
また、くわえて、容器１７外周面における供給孔１４の対向側の供給孔１４よりも若干低い位置には、第２回収器４側に向かって下方傾斜した移送ノズル（連通部）２２が一体的に突出形成されている。この移送ノズル２２は、第２回収器４の連通孔２３に着脱自在に嵌め込み挿入されているため、エキス抽出過程で、上記収容部２１が凝結エキスで満たされると、収容部２１内の液面側の凝結エキスが移送ノズル２２内を通過し、第２回収器３内に流出される。
【００３３】
なお、前述したように、容器１７における供給孔１４の形成位置は移送ノズル２２の形成位置よりも高くなっており、エキス抽出過程においては、上記収容部２１内の凝結エキスの液面が供給孔１４に達する前に移送ノズル２２側に達し、凝結エキスが供給孔１４から抽出器２側に逆流することが防止されている。
【００３４】
回収カバー１８は、第１回収器３の水平方向中心（中心）に向かって上方傾斜しながら該中心部で集束する平断面視円形状又は多角形状（図示する例では円形状）の下方が開放されたドーム状又は傘状（図示する例ではドーム状）に成形されている。この回収カバー１８の中心に向かって上方に傾斜した内周面には、全体に亘り、供給室１９に供給されて立ち上る蒸気を受止めて冷却凝結する凝結面（主凝結面）１８ａが形成される。
【００３５】
凝結面１８ａで凝結して液体となった凝結エキスは、自重により凝結面１８ａを伝って容器１７の内周面上端側に案内されかるか、又は自重により収容部２１に直接落下する。容器１７の内周面上端側の凝結エキスは、容器１７の内周面が伝って収容部２１内に導入され、収容部２１に収容される。
【００３６】
回収カバー１８の下端縁部の底面視形状が容器１７の上端縁部の平面視形状と略同一な円形状又は多角形状（図示する例では円形状）になるように、回収カバー１８が成形されている。この容器１７の上端縁部及び回収カバー１８の下端縁部には、中心側に向かって下降傾斜するテーパ面がそれぞれ形成されており、このテーパ面同士を当接させることにより、水平移動が規制された状態で回収カバー１８を容器１７に対して安定的に位置決めさせ、容器１７上方を閉塞して供給室１９の所定以上の気密性を確保する。すなわち、上記容器１７の上端縁部及び回収カバー１８の上端縁部は、容器１７上方を閉塞するように、回収カバー１８下端部を容器１７上端部に係脱自在に嵌合係止（係合）させる係合部２０を構成している。
【００３７】
回収カバー１８の中心側に位置する頂点部には、上下方向の採取孔１８ｂが穿設されている。この採取孔１８ｂは、採取栓２４を係脱自在に嵌め込み挿入することにより、塞がれる。そして、エキス抽出中に採取栓２４を採取孔１８ｂから取外すことにより、採取栓２４に付着した凝結エキスをサンプルとして採取できる。
【００３８】
回収カバー１８の外面からは、平面視中心から外方に向かって放射状に広がる複数の冷却板（フィン）２６が一体的に突出形成されており、この複数の冷却板２６によって空気との接触面積を増加させる放熱部２７を構成している。各冷却板２６は、鉛直方向（上下方向）及び外方に延設され、その表裏面が空気との接触面をなしている。
【００３９】
そして、蒸気の熱は、凝結面１８ａを介して回収カバー１８の外面側に伝導され、空気との接触面積が増加した放熱部２７によって空気中に効率的に放熱されていくため、エキス抽出に必要な冷却効率を空冷によって十分に確保できる。
【００４０】
上記第２回収器４は、前記第１回収器３と類似な構成にしているので、重複部分についての説明は省略する。即ち、第２回収器４は、前述した回収カバー１８と相似形状で放熱部２７が設けられていないドーム状又は傘状（図示する例ではドーム状）の補助カバー（補助カバー部，カバー蓋）２８と、容器１７と相似形状で補助カバー２８の大きさに対応した大きさに形成された補助容器（容器）２９とからなる。この補助カバー２８と補助容器２９とは前述の係合部２０と略同一構成の係合部３１によって係合接合され、補助容器２９内の補助供給室（補助供給部）３２が所定以上の気密性が確保される。
【００４１】
補助容器２９の側周壁には、前述した連通孔２３と、前述の移送ノズル２２と略同一に構成され第３回収器６側に向かって下降傾斜した移送ノズル（連通部）３３とが対向するように設けられている。補助容器２９の側周壁における移送ノズル３３形成箇所高さが連通孔２３形成箇所高さよりも低くなるように補助容器２９が構成されている。このため、補助容器２９内周側に形成された収容部３４が凝結エキスによって満たされても、上記移送ノズル３３によって第３回収器６に凝結エキスが流出され、収容部２９内の凝結エキスの液面が連通孔２３に達することが無く、第２回収器４から第１回収器３に凝結エキスが逆流することが防止される。くわえて、補助容器２９の内側周面には、第１回収器３の移送ノズル２２挿入時、移送ノズル２２を移送ノズル２２軸方向にガイドするガイド体３６が一体的に突出形成されている。
【００４２】
補助カバー２８の内面側には、全体に亘り、補助凝結面（凝結面）２８ａが形成されている。この補助凝結面２８ａは、第１回収器３によって処理しきれず移送ノズル２２を介して補助供給室３２に導入された後に補助カバー２８側に立ち上った蒸気を、受止めて冷却凝結させるように構成されている。ちなみに、補助供給室３２内に導入された蒸気は、ある程度冷却されているため、放熱部を設けること無く、十分な凝結効率を確保できる。
【００４３】
上記第３回収器６は、底側が閉塞され上方が開放された上下方向の筒状に成形されており、内部に凝結エキスを収容する収容部３７が形成されている。この第３回収器６の側周壁上端部には、連通溝３８と流出口（連通部）３９とが対向状態で設けられている。
【００４４】
連通溝３８は第３回収器６上端部をＵ字状に切欠くことにより形成されており、この連通溝３８を介して前述した第２回収器４の移送ノズル３３の先端側が第３回収器６の内周面側に挿入され、第２回収器４内の凝結エキスが第３回収器６内に流出可能な状態になる。
【００４５】
流出口３９は、上方開放状態で第４回収器７側に向かって下方傾斜するように、第３回収器６の外周面から一体的に突出形成されている。ちなみに、第３回収器６の側周壁における流出口３９形成箇所高さが連通溝３８形成高さよりも低くなるように第３回収器６が構成されている。このため、収容部３７が凝結エキスによって満たされても、上記流出口３９によって第４回収器７に凝結エキスが流出され、収容部３７内の凝結エキスの液面が連通溝３８に達することが無く、第３回収器６から第２回収器４に凝結エキスが逆流することが防止される。
【００４６】
上記第４回収器７は、底側が閉塞され上方が開放された上下方向の筒状に成形されており、内部に凝結エキスを収容する収容部４１が形成されている。この第４回収器７の側周壁上端部には連通溝４２が設けられている。連通溝４１は第４回収器７上端部をＵ字状に切欠くことにより形成されており、この連通溝４１に前述した第３回収器６の流出口３９の突出端側が挿入され、第３回収器６内の凝結エキスが第４回収器７内に流出可能な状態になる。
【００４７】
以上のように構成される本エキス抽出蒸留装置によれば、複数（図示する例では４つ）の収容部２１，３４，３７，４１を、凝結エキス流動上流側（上流側）から凝結エキス流動下流側（下流側）に向かって隣接状態で並列配置しており、各収容部２１，３４，３７，４１における隣接したもの同士を前述の複数の連通部２２，３３，３９によって連通されている。この複数の連通部２２，３３，３９の高さは、上記した構成から、下流側に位置するもの程低く、上流側に位置するもの程高くなっている。具体的には、連通部２２よりも連通部３３が低い位置に形成され、連通部３３よりも連通部３９が低い位置に形成される。
【００４８】
そして、各収容部２１，３４，３７，４１の間で凝結エキスを流動させることにより、この凝結エキスを上流側から下流側に移送した場合には、エッセンシャルオイル（植物精製油）等が滞留している凝結エキスの液面側が流動するため、各収容部２１，３４，３７，４１内の凝結エキスは、上流側のものよりも下流側のものの方が濃度（エキス成分の濃度）が高くなっている。
【００４９】
なお、エキス抽出蒸留装置は、各部材を陶器によって構成しているが、耐熱性及び耐酸性を有するステンレス、プラスチック等を用いて、各部材を構成してもよい。
【００５０】
次に、図３に基づき本考案の他の実施形態について前述した例と異なる点を説明する。
図３は、他の実施形態を示す回収カバーの斜視図である。本エキス抽出蒸留装置は、上方開放されて上下方向に延びる円筒状の冷却壁（フィン）４３を回収カバー１８外面から上方に一体的に突出形成することにより、放熱部２７を構成している。具体的には、複数（図示する例では２つ）の径の異なる冷却壁４３が、上端高さを揃えられた状態で、同心軸上に所定間隔を介して重ねて配置され、各冷却壁４３には冷却壁４３を内外方向に貫く複数の通気孔４３ａが等間隔で環状に並列配置されており、この冷却壁４３の外周面及び内周面が空気との接触面になる。
【００５１】
次に、図４に基づき本考案の他の実施形態について前述した例と異なる点を説明する。
図４は、他の実施形態を示す回収カバーの斜視図である。本エキス抽出蒸留装置は、回収カバー１８の外面から水平方向に延設された平面視略円形状の冷却プレート（フィン）４４を、所定間隔を介して、上下方向に複数（図示する例は５つ）配置することにより、放熱部２７を構成している。ちなみに、各冷却プレート４４は、上側に対して下側の径が大きくなるように形成されている。
【００５２】
次に、図５に基づき本考案の他の実施形態について前述した例と異なる点を説明する。
図５は、他の実施形態を示す回収カバーの斜視図である。本エキス抽出蒸留装置は、回収カバー１８外面から外方に向かって一体的に突設された棒状又は角状の複数の突起片（放熱体）４６によって、空気との接触面積を増加させる放熱部２７が構成されている。この複数の突起片４６は、回収カバー１８外面全体から満遍なく放射状に突出している。
【００５３】
次に、図６に基づき本考案の他の実施形態について前述した例と異なる点を説明する。
図６は、他の実施形態を示す回収カバーの斜視図である。本エキス抽出蒸留装置は、回収カバー１８外面の上半部全体に前述した複数の突起片４６を設けるとともに、下半部全体に前述した複数の冷却プレート４４を所定間隔を介して上下に配置することにより、放熱部２７を構成している。
【００５４】
なお、隣合う上下の冷却プレート４４，４４同士は上下方向の１以上（図示する例では２つ）の接続杆（接続体）４７によって連接されており、この接続杆４７によって冷却プレート４４間の熱のやり取りが効率的に行われるとともに、冷却プレート４４の強度が補強される。
【図面の簡単な説明】
【００５５】
【図１】本考案を適用したエキス抽出蒸留装置の全体側断面図である。
【図２】本エキス抽出蒸留装置の回収カバーの平面図である。
【図３】他の実施形態を示す回収カバーの斜視図である。
【図４】他の実施形態を示す回収カバーの斜視図である。
【図５】他の実施形態を示す回収カバーの斜視図である。
【図６】他の実施形態を示す回収カバーの斜視図である。
【符号の説明】
【００５６】
１  エキス抽出処理対象物（処理対象物，被処理物，植物）
９  抽出室（抽出部）
１３  導入ノズル（導入部，ノズル）
１５  仕切部
１８  回収カバー（カバー部，カバー蓋）
１８ａ  凝結面（主凝結面）
１９  供給室（供給部）
２１  収容部
２２  移送ノズル（連通部）
２７  放熱部
２６  冷却板（フィン）２６
２８  補助カバー（補助カバー部，カバー蓋）
２８ａ  補助凝結面（凝結面）
３２  補助供給室（補助供給部）
３３  移送ノズル（連通部）
３４  収容部
３７  収容部
３９  流出口（連通部）
４１  収容部
４３  冷却壁（フィン）
４３ａ  通気孔
４４  冷却プレート（フィン）
４６  突出片（放熱体）
４７  接続杆（接続体）
【図１】
0003147075.tif 000003
【図２】
0003147075.tif 000004
【図３】
0003147075.tif 000005
【図４】
0003147075.tif 000006
【図５】
0003147075.tif 000007
【図６】
0003147075.tif 000008